(57)【要約】      （修正有）【課題】長期にわたり、切れ味の良い包丁を提供する。【解決手段】鋭い刃先をもつカッターナイフの替え刃状の替え刃をワンタッチで脱着可能にすることで、包丁を研ぐということから開放し、切れ味が落ちたら気軽に刃を交換し、常に鋭い刃先で、良い切れ味を保つ。【選択図】図１
2006181371.tif 000002
【特許請求の範囲】
【請求項１】
切れ味が悪くなったときに刃先部分をカッターナイフの替え刃状の替え刃をワンタッチで簡単に交換することが出来、いつも鋭い刃先を取り戻すことができる包丁
【請求項２】
「請求項１」の包丁に取り付けることが出来る替え刃
【発明の詳細な説明】
【技術分野】
【０００１】本発明は包丁の刃の切れ味が悪くなった時に、カッターナイフの替え刃のように鋭い切れ味の刃先をもつ替え刃を、ワンタッチで交換可能にした包丁で有る。
【背景技術】
【０００２】いかに高価で優れた鋼の刃先をもつ包丁といえども長期間使用すれば刃先は丸くなり切れ味は低下してくる。ましてやステンレス系の汎用品ではいくら研磨しても瞬く間に切れ味は低下してしまう。刃先を研磨出来る方はまだ定期的に切れ味をそこそこ回復可能だが、それ以外の多くのかたがたは、わざわざ専門のショップなどに持ち込み時間と手間と出費を余儀なくされてもいる。何より我慢をして切れない包丁で無理やり危険を冒しつつも日々、調理しているのが実情である。
【発明の開示】
【発明が解決しようとする課題】
【０００３】いかに高価で優れた鋼の刃先をもつ包丁といえども長期間使用すれば刃先は丸くなり切れ味は低下してくる。【０００４】汎用品のステンレス系包丁では尚更刃先が柔らかい為に研いでもすぐに刃先が丸くなり切れ味は低下してくる。【０００５】一般の主婦で包丁を砥石を使用して正しく研げるひとは殆ど居ないだろうし、仮に研げるとしても砥石を準備し実際に研ぐ作業は大変面倒なものである。【０００６】専門のショップなどで研いでもらう場合は刃物を持ち歩き大変危険で有ると共に、結構な出費と待つ時間も必要で有り煩わしい。【０００７】刃欠けが生じた場合は砥石による修復は殆どの場合不可能に近く、機械での研磨が必要だが高価なものは例外として、汎用品では買い替えを選択するケースが多いと思われる。【０００８】何よりも切れ味の悪い包丁は切るときに無理な大きな力をかける事になり、誤って負傷することも有り大変危険である。
【課題を解決するための手段】購入したての包丁はとても良く切れる、これは機械や砥石で刃先を鋭く研磨してあるからである。だが、いかに高価で硬い鋼の刃先をもつ包丁といえども調理を繰り返すうちに刃先は丸くなり切れ味は低下して行く、その為鋭利な刃先を回復すべく刃先を研ぐ必要がある。
しかし、一般の主婦で砥石を使って包丁をうまく研げるひとはごく限られていると思われる。相当切れ味の低下したものは、刃物店や研ぎショップなどに持ち込む事になるがこれには持ち歩く危険と手間や待ち時間と費用が発生する。このため大半のひとは、切れない包丁で我慢しながらその上危険を冒しながら悪戦苦闘しているというのが実状ではないだろうか。本発明は包丁に、鋭い刃先をもつカッターナイフの替え刃状の替え刃をワンタッチで脱着可能にすることで、包丁を研ぐということから開放し、切れ味が落ちたら気軽に刃を交換し常に鋭い刃先が得られ切れ味の良い包丁を提供するもので有る。【０００９】以下、本発明の実施の形態例を「図１」〜「図４」に基ずいて説明する。【００１０】「図３」の刃先の無い刀身１の刃側に切先からあご迄全長に渡り、替え刃（ブレード）４が収まる幅と、替え刃の高さより少し浅い溝を設ける。【００１１】あごの部分に溝を横断するように、ピポットピン３を設ける。【００１２】溝の刃側の先端を「図３」のＶＩＥＷ  Ｃ−Ｃに示す様に、切先からあごまで全域に渡り替え刃（ブレード）４の板厚寸法より少し狭くする。ただしピポットピン３の付近だけはＶＩＥＷ  Ｄ−Ｄに示す様に替え刃（ブレード４）の板厚と等しくしておく。【００１３】替え刃（ブレード）４は、「図１」中に示す様にごく一般のカッターナイフの替え刃状で有るが途中で破断する為の切り込み線は不要で、刃先の反対側は図に示す様なＳ字形状に切り込んだ様なくぼみを設ける。【００１４】「図１」で刀身１に、替え刃（ブレード）４を装着する要領を説明すると、図中▲１▼の状態で替え刃（ブレード）４の反刃先側のＳ字に切り込んだ部分を刀身１のあごの部分の溝に差し込み、ピポットピン３と替え刃（ブレード）４のＳ字型の切り込みを合わせる。
次に、この状態で図中▲２▼の様に替え刃（ブレード）４をピポットピン３を支点として回転させる。さらに同要領で替え刃（ブレード）４を回転し続け図中▲３▼の様に、刀身１の溝の中に、替え刃（ブレード）４をしっかりとはめ込み装着が完了する。【００１５】「図２」に替え刃（ブレード）４が、刀身１に装着された状態を示す。
ＶＩＥＷ  Ａ−Ａ及びＶＩＥＷ  Ｂ−Ｂは、刀身１の中央部付近と、あご部のピポットピン３部のそれぞれの部分の断面を示す。この状態で、あごの部分では替え刃（ブレード）４のＳ字型の切り込みとピポットピン３が絡み合い、替え刃（ブレード）４は上下にも左右にもしっかりと固定される。
また、それ以外の刀身全域に渡っても「図３」のＶＩＥＷ  Ｃ−Ｃに示す様に溝の先端幅が狭いところに替え刃（ブレード）４が割り込んでいる為、適当な締め付け力が発生しており替え刃（ブレード）４がしっかりと固定されることになる。【００１６】替え刃（ブレード）４の取外し要領例を「図４」に示す。図中▲１▼の様にまな板などの上に替え刃（ブレード）４の先端を突き立て、刀身１の先の部分を矢印の方向に引っ張ると替え刃（ブレード）はピポットピン３を支点にして図中▲２▼の様に刀身１から外れて来る。さらに回転させると図中▲３▼の状態になり、刀身１から替え刃（ブレード）４を簡単に引き抜き取り外す事が出来る。【００１７】刀身１は一体物から替え刃（ブレード）４を差し込む溝を切削しても良いし、２枚、３枚の素材を張り合わせて製作しても構わない。【００１８】この包丁は隙間に食材かすや水分が入り込み腐蝕や雑菌の繁殖が懸念される為全ての部材は高い耐腐蝕性と銅合金などの抗菌性、滅菌性に優れた材質を選択すべきで有る
【発明の効果】
【００１９】本発明は、刃先が丸くなり切れ味の落ちた包丁の、刃の部分だけをカッターナイフの替え刃状の替え刃を、ワンタッチで交換可能にした包丁で有り、いつまでも切れない包丁で我慢しながら危険を冒して使用をし続けずに、気軽に鋭い刃先をもつ替え刃に交換することによって常に切れ味の良い包丁を提供すると共に、包丁を研ぐということから開放されることになる。
【発明を実施するための最良の形態】
【００２０】替え刃を取り扱う危険性を危惧されるだろうが、一般にカッターナイフと替え刃は生活の中にごく自然に普及し、ひげ剃りや理美容室の顔そりやカット刃なども替え刃式が普及している。多少長めの替え刃にはなるが、ＰＬ法に基づく安全な取り扱い方法を利用者に理解いただき安全に使用願うことが必要である。【００２１】食材に直接触れる器具で有る為耐雑菌の繁殖と耐腐蝕に優れた材質を使用する必要がある。【００２２】使用後の替え刃は、そのままの姿でごみに出すことは大変危険である為、替え刃の梱包容器を２室構造にするなどにして、使用済みの替え刃を容器ごと販売店等で回収してリサイクル出来る様な取り組みが必要である。【００２３】替え刃は、気軽に交換できるような手ごろな価格で無ければいけない。【００２４】溝の掃除用に小型で専用のブラシを附属するのが望ましい。
【図面の簡単な説明】
【図１】本発明の実施形態を示すワンタッチ替え刃型包丁の概念図で、替え刃の取り付け方法のイメージを示す図
【図２】包丁の刀身に替え刃を装着時の刀身中央付近と、あごのピポットピン部の断面図
【図３】包丁の刀身に替え刃を未装着時の刀身中央付近と、あごのピポットピン部の断面図
【図４】包丁から替え刃を取り外す時のイメージを示す図
【符号の説明】
１  刀身
２  柄
３  ピポットピン
４  替え刃（ブレード）
【図１】
2006181371.tif 000003
【図２】
2006181371.tif 000004
【図３】
2006181371.tif 000005
【図４】
2006181371.tif 000006